(57)【要約】【課題】特殊な機器を必要とせずに、撮影時に注目した箇所にマークを付けることのできる撮像装置を提供する。【解決手段】撮影時に表示部１９の画面上にスルー画像が表示された状態で、ユーザがスルー画像の中の任意の箇所を画面上の所定位置に設けられたポインタで囲むようにカメラ本体２を移動させたときの移動軌跡を測定する。この測定されたカメラ本体２の移動軌跡に基づいて所定のマークを作成して当該スルー画像の中の該当する箇所に表示する。これにより、特殊な機器を必要とせずに、撮影時に注目した箇所にマークを付けることができる。【選択図】      図３
2006237713.tif 000002
【特許請求の範囲】
【請求項１】
被写体を撮像する撮像手段と、
この撮像手段によって得られる被写体の画像データをスルー画像として表示する表示手段と、
マーク付けのための特定の撮影モードを設定するモード設定手段と、
このモード設定手段によって前記特定の撮影モードが設定された場合に、前記表示手段により表示されたスルー画像の中の任意の箇所を前記表示手段の画面上の所定位置に設けられたポインタで囲むようにカメラ本体を移動させたときの移動軌跡を測定する軌跡測定手段と、
この軌跡測定手段によって測定された前記カメラ本体の移動軌跡に基づいて所定のマークを作成して当該スルー画像の中の該当する箇所に表示するマーク作成手段と
を具備したことを特徴とする撮像装置。
【請求項２】
前記カメラ本体の移動軌跡を整形する軌跡整形手段を有し、
前記マーク作成手段は、前記軌跡整形手段によって整形された移動軌跡をマークとして可視化表示することを特徴とする請求項１記載の撮像装置。
【請求項３】
撮影指示に従って前記撮像手段によって得られる被写体の画像データを撮影画像として取り込む撮影処理手段と、
この撮影処理手段によって得られた撮影画像に前記マーク作成手段によって作成されたマークを合成する合成手段と
を具備したことを特徴とする請求項１記載の撮像装置。
【請求項４】
前記撮影画像の前記マーク外の周辺画像を加工する加工手段をさらに具備したことを特徴とする請求項３記載の撮像装置。
【請求項５】
カメラ本体にスルー画像を表示するための表示装置が設けられた撮像装置に用いられるマーク作成方法であって、
撮像素子によって得られる被写体の画像データをスルー画像として前記表示装置に表示するステップと、
マーク付けのための特定の撮影モードを設定するステップと、
前記特定の撮影モードが設定された場合に、前記表示装置に表示されたスルー画像の中の任意の箇所を前記表示装置の画面上の所定位置に設けられたポインタで囲むように前記カメラ本体を移動させたときの移動軌跡を測定するステップと、
前記カメラ本体の移動軌跡に基づいて所定のマークを作成して当該スルー画像の中の該当する箇所に表示するステップと
を備えたことを特徴とするマーク作成方法。
【請求項６】
カメラ本体にスルー画像を表示するための表示装置が設けられた撮像装置に搭載されたコンピュータによって実行されるプログラムであって、
前記コンピュータに、
撮像素子によって得られる被写体の画像データをスルー画像として前記表示装置に表示する機能と、
マーク付けのための特定の撮影モードを設定する機能と、
前記特定の撮影モードが設定された場合に、前記表示装置に表示されたスルー画像の中の任意の箇所を前記表示装置の画面上の所定位置に設けられたポインタで囲むように前記カメラ本体を移動させたときの移動軌跡を測定する機能と、
前記カメラ本体の移動軌跡に基づいて所定のマークを作成して当該スルー画像の中の該当する箇所に表示する機能と
を実現させることを特徴とするプログラム。
【発明の詳細な説明】
【技術分野】
【０００１】
本発明は、例えばデジタルカメラ等の撮像装置に係り、特に撮影時の注目箇所にマークを付ける機能を備えた撮像装置と、この撮像装置に用いられるマーク作成方法及びプログラムに関する。
【背景技術】
【０００２】
一般に、デジタルカメラでは、現在撮影対象となっている被写体の画像がスルー画像としてカメラ本体の背面などに設けられた画面上に表示され、ユーザ（撮影者）はその画面を見ながら任意のタイミングでシャッタキーを押下操作することで、撮影画像を得ることができる。
【０００３】
ここで、被写体を比較的近くで撮影した画像、あるいは、ズーム機能を利用して拡大して撮影した画像などであれば、どこに注目していた撮影した画像であるのかが分かる。しかし、例えばレンズの焦点距離が足りない場合、あるいは、高速シャッターを切れないなどの理由で十分にズームアップできずに撮影した画像であると、その撮影画像の中で注目箇所の占める領域が小さくなるため、後にどこに注目して撮影した画像なのかが分からなくなる。
【０００４】
これは、通常に撮影した画像であっても同様であり、被写体の構図によっては、他人はもとより、撮影者本人でも、どこに注目して撮影した画像であるかが分からなくなることがある。
【０００５】
このような問題を解決する方法として、撮影画像を印刷した際に、その印刷物上にユーザがペンなどを用いてマーキングを行う方法が考えられるが、その都度、印刷を行ってマーキングをするのでは非常に手間がかかり、また、印刷物を汚してしまうなどの問題がある。
【０００６】
また、例えば特許文献１に開示されているようなタッチパネルを備えたデジタルカメラであれば、撮影時にユーザが指で触れた箇所にマーキングすることも可能である。しかしながら、タッチパネルを持たないデジタルカメラには適用できず、また、マーキングのためだけにタッチパネルを設置することはコスト的にも問題がある。
【特許文献１】特開２００１−１５９７３０号公報
【発明の開示】
【発明が解決しようとする課題】
【０００７】
上述したように、撮影画像上の注目箇所を知らしめる場合に、撮影画像の印刷物上にペンなどを用いてマーキングを行う方法では、手間がかかるなどの問題がある。また、タッチパネルを利用して撮影時にマーキングを行う方法では、タッチパネルといった特殊な機器が必要であり、コスト的に問題が生じる。
【０００８】
本発明は前記のような点に鑑みなされたもので、特殊な機器を必要とせずに、撮影時に注目した箇所にマークを付けることのできる撮像装置、マーク作成方法及びプログラムを提供することを目的とする。
【課題を解決するための手段】
【０００９】
本発明の請求項１に係る撮像装置は、被写体を撮像する撮像手段と、この撮像手段によって得られる被写体の画像データをスルー画像として表示する表示手段と、マーク付けのための特定の撮影モードを設定するモード設定手段と、このモード設定手段によって前記特定の撮影モードが設定された場合に、前記表示手段により表示されたスルー画像の中の任意の箇所を前記表示手段の画面上の所定位置に設けられたポインタで囲むようにカメラ本体を移動させたときの移動軌跡を測定する軌跡測定手段と、この軌跡測定手段によって測定された前記カメラ本体の移動軌跡に基づいて所定のマークを作成して当該スルー画像の中の該当する箇所に表示するマーク作成手段とを具備して構成される。
【００１０】
このような構成によれば、撮影時にカメラ本体を移動させることで、そのカメラ本体の移動軌跡に基づいてスルー画像の中の任意の箇所にマークを付けることができる。
【００１１】
また、本発明の請求項２は、前記請求項１記載の撮像装置において、前記カメラ本体の移動軌跡を整形する軌跡整形手段を有し、前記マーク作成手段は、前記軌跡整形手段によって整形された移動軌跡をマークとして可視化表示することを特徴とする。
【００１２】
このような構成によれば、カメラ本体を移動させたときの軌跡が歪んでいても、その移動軌跡がマークとして妥当な形に整形されて可視化表示される。
【００１３】
また、本発明の請求項３は、前記請求項１記載の撮像装置において、撮影指示に従って前記撮像手段によって得られる被写体の画像データを撮影画像として取り込む撮影処理手段と、この撮影処理手段によって得られた撮影画像に前記マーク作成手段によって作成されたマークを合成する合成手段とを具備したことを特徴とする。
【００１４】
このような構成によれば、撮影指示を行うことで、撮影画像にマークを合成した状態で得ることができる。
【００１５】
また、本発明の請求項４は、前記請求項３記載の撮像装置において、前記撮影画像の前記マーク外の周辺画像を加工する加工手段をさらに具備したことを特徴とする。
【００１６】
このような構成によれば、撮影画像の中でマーク外の周辺画像を加工した状態で得ることができる。
【００１７】
本発明の請求項５に係るマーク作成方法は、カメラ本体にスルー画像を表示するための表示装置が設けられた撮像装置に用いられるマーク作成方法であって、撮像素子によって得られる被写体の画像データをスルー画像として前記表示装置に表示するステップと、マーク付けのための特定の撮影モードを設定するステップと、前記特定の撮影モードが設定された場合に、前記表示装置に表示されたスルー画像の中の任意の箇所を前記表示装置の画面上の所定位置に設けられたポインタで囲むように前記カメラ本体を移動させたときの移動軌跡を測定するステップと、前記カメラ本体の移動軌跡に基づいて所定のマークを作成して当該スルー画像の中の該当する箇所に表示するステップとを備えたことを特徴とする。
【００１８】
このようなマーク作成方法によれば、前記各ステップに従った処理を実行することにより、前記請求項１記載の発明と同様の作用効果が奏せられる。
【００１９】
本発明の請求項６に係るプログラムは、カメラ本体にスルー画像を表示するための表示装置が設けられた撮像装置に搭載されたコンピュータによって実行されるプログラムであって、前記コンピュータに、撮像素子によって得られる被写体の画像データをスルー画像として前記表示装置に表示する機能と、マーク付けのための特定の撮影モードを設定する機能と、前記特定の撮影モードが設定された場合に、前記表示装置に表示されたスルー画像の中の任意の箇所を前記表示装置の画面上の所定位置に設けられたポインタで囲むように前記カメラ本体を移動させたときの移動軌跡を測定する機能と、前記カメラ本体の移動軌跡に基づいて所定のマークを作成して当該スルー画像の中の該当する箇所に表示する機能とを実現させることを特徴とする。
【００２０】
したがって、コンピュータが前記各機能を実現するためのプログラムを実行することにより、前記請求項１記載の発明と同様の作用効果が奏せられる。
【発明の効果】
【００２１】
本発明によれば、撮影時にカメラ本体を移動させたときの移動軌跡を測定し、その移動軌跡に基づいてマークを作成してスルー画像上に表示するようにしたため、特殊な機器を必要とせずに、撮影時に注目した箇所にマークを付けることができる。これにより、後にどこに注目して撮影した画像なのかをマークから容易に判断できるようになる。
【発明を実施するための最良の形態】
【００２２】
以下、図面を参照して本発明の実施形態を説明する。
【００２３】
図１は本発明の一実施形態に係る撮像装置としてデジタルカメラを例にした場合の外観構成を示す図であり、図１（ａ）は主に前面の構成、同図（ｂ）は主に背面の構成を示す斜視図である。
【００２４】
このデジタルカメラ１は、略矩形の薄板状のカメラ本体２の前面に撮影レンズ３、セルフタイマランプ４、光学ファインダ窓５、ストロボ発光部６、マイクロホン部７などを有し、上面の（ユーザにとって）右端側には電源キー８及びシャッタキー９などが設けられている。電源キー８は、電源のオン／オフ毎に操作するキーであり、シャッタキー９は、撮影時に撮影タイミングを指示するキーである。
【００２５】
また、デジタルカメラ１の背面には、撮影モード（Ｒ）キー１０、再生モード（Ｐ）キー１１、光学ファインダ１２、スピーカ部１３、マクロキー１４、ストロボキー１５、メニュー（ＭＥＮＵ）キー１６、リングキー１７、セット（ＳＥＴ）キー１８、表示部１９などが設けられている。
【００２６】
撮影モードキー１０は、電源オフの状態から操作することで自動的に電源オンとして静止画の撮影モードに移行する一方で、電源オンの状態から繰返し操作することで、静止画モード、動画モードを循環的に設定する。静止画モードは、静止画を撮影するためのモードである。
【００２７】
前記シャッタキー９は、これらの撮影モードに共通に使用される。すなわち、静止画モードでは、シャッタキー９が押下されたときのタイミングで静止画の撮影が行われる。動画モードでは、シャッタキー９が押下されたときのタイミングで動画の撮影が開始され、シャッタキー９が再度押下されたときにその動画の撮影が終了する。
【００２８】
再生モードキー１１は、電源オフの状態から操作することで自動的に電源オンとして再生モードに移行する。光学ファインダ１２は、撮影時にユーザが撮影対象となる被写体を光学的に確認するためのものである。スピーカ部１３は、音声再生時に用いられる。
【００２９】
マクロキー１４は、静止画の撮影モードで通常撮影とマクロ撮影とを切換える際に操作する。ストロボキー１５は、ストロボ発光部６の発光モードを切換える際に操作する。メニューキー１６は、各種メニュー項目等を選択する際に操作する。リングキー１７は、上下左右各方向への項目選択用のキーが一体に形成されたものであり、このリングキー１７の中央に位置するセットキー１８は、その時点で選択されている項目を設定する際に操作する。
【００３０】
表示部１９は、バックライト付きのカラー液晶パネルで構成されるもので、撮影モード時には電子ファインダとしてスルー画像のモニタ表示を行う一方で、再生モード時には選択した画像等を再生表示する。
【００３１】
また、このデジタルカメラ１には、光学ズーム機能が備えられており、ズームキー２０ａ，２０ｂの操作により焦点距離を物理的に変化させて画像の拡大率を変更することができる。ズームキー２０ａ，２０ｂのうち、一方のズームキー２０ａはテレ端用であり、望遠側へズーム倍率を変更する場合に用いられる。他方のズームキー２０ｂはワイド端用であり、広角側へズーム倍率を変更する場合に用いられる。
【００３２】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられている。
【００３３】
図２はデジタルカメラ１の電子回路構成を示すブロック図である。
【００３４】
このデジタルカメラ１には、前記撮影レンズ３を構成する図示せぬフォーカスレンズおよびズームレンズを含むレンズ光学系２２がモータ２１の駆動により光軸方向に所定の範囲内で移動可能に設けられており、その光軸後方に撮像素子であるＣＣＤ（ｃｈａｒｇｅ  ｃｏｕｐｌｅｄ  ｄｅｖｉｃｅ）２３が配設されている。このＣＣＤ２３は、撮影レンズ３を通して入力される被写体の各部位からの光を受光し、その光の強度に応じた電気信号を出力する。
【００３５】
基本モードである記録モード時において、ＣＣＤ２３がタイミング発生器（ＴＧ）２４、ドライバ２５によって走査駆動され、一定周期毎に結像した光像に対応する光電変換出力を１画面分出力する。このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。
【００３６】
そして、カラープロセス回路２８において、画素補間処理及びγ補正処理を含む画像処理が行われて、デジタル値の輝度信号Ｙ及び色差信号Ｕ，Ｖ（Ｃｂ，Ｃｒ）が生成され、ＤＭＡ（Ｄｉｒｅｃｔ  Ｍｅｍｏｒｙ  Ａｃｃｅｓｓ）コントローラ２９に出力される。
【００３７】
ＤＭＡコントローラ２９は、カラープロセス回路２８の出力する輝度信号Ｙ及び色差信号Ｕ，Ｖを、同じくカラープロセス回路２８からの複合同期信号、メモリ書込みイネーブル信号、及びクロック信号を用いて一度ＤＭＡコントローラ２９内部のバッファに書き込み、ＤＲＡＭインタフェース（Ｉ／Ｆ）３０を介してバッファメモリとして使用されるＤＲＡＭ３１にＤＭＡ転送を行う。
【００３８】
制御部３２は、デジタルカメラ１全体の制御を行うものであり、ＣＰＵと、このＣＰＵで実行される動作プログラムを記憶したＲＯＭ、及びワークメモリとして使用されるＲＡＭなどを含むマイクロコンピュータにより構成される。
【００３９】
この制御部３２は、前記輝度及び色差信号のＤＲＡＭ３１へのＤＭＡ転送終了後に、この輝度及び色差信号をＤＲＡＭインタフェース３０を介してＤＲＡＭ３１より読み出し、ＶＲＡＭコントローラ３３を介してＶＲＡＭ３４に書き込む。
【００４０】
デジタルビデオエンコーダ３５は、前記輝度及び色差信号をＶＲＡＭコントローラ３３を介してＶＲＡＭ３４より定期的に読み出し、これらのデータを元にビデオ信号を発生して表示部１９に出力する。
【００４１】
この表示部１９は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００４２】
このように、表示部１９にその時点での画像がモニタ画像としてリアルタイムに表示されている状態で、例えば静止画撮影を行いたいタイミングでシャッタキー９を押下操作すると、トリガ信号が発生する。
【００４３】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００４４】
この記録保存の状態では、制御部３２がＤＲＡＭ３１に書き込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、ＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路３７に書き込み、このＪＰＥＧ回路３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００４５】
そして得た符号データを１画像のデータファイルとして該ＪＰＥＧ回路３７から読み出して記録用のメモリ３８に書き込む。このメモリ３８としては、予め本体に内蔵されたフラッシュメモリ等の内部メモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００４６】
制御部３２には、さらに音声処理部３９、ＵＳＢインタフェース（Ｉ／Ｆ）４０、ストロボ駆動部４１が接続される。
【００４７】
音声処理部３９は、ＰＣＭ音源等の音源回路を備え、音声の録音時には前記マイクロホン部（ＭＩＣ）７より入力された音声信号をデジタル化し、所定のデータファイル形式、例えばＭＰ３（ＭＰＥＧ−１  ａｕｄｉｏ  ｌａｙｅｒ  ３）規格に従ってデータ圧縮して音声データファイルを作成してメモリ３８へ送出する一方、音声の再生時にはメモリ３８から読み出された音声データファイルの圧縮を解いてアナログ化し、上述したデジタルカメラ１の背面側に設けられるスピーカ部（ＳＰ）１３を通じて出力する。
【００４８】
ＵＳＢインタフェース４０は、ＵＳＢコネクタを介して有線接続されるパーソナルコンピュータ等の他の情報端末装置との間で画像データ、その他の送受を行う場合の通信制御を行う。ストロボ駆動部４１は、撮影時に図示せぬストロボ用の大容量コンデンサを充電した上で、制御部３２からの制御に基づいてストロボ発光部６を閃光駆動する。
【００４９】
なお、前記キー入力部３６は、上述したシャッタキー９の他に、電源キー８、撮影モードキー１０、再生モードキー１１、マクロキー１４、ストロボキー１５、メニューキー１６、リングキー１７、セットキー１８、ズームキー２０ａ，２０ｂなどから構成され、それらのキー操作に伴う信号は直接制御部３２へ送出される。
【００５０】
また、静止画像ではなく動画像の撮影時においては、シャッタキー９が押下操作されたときに、上述したＪＰＥＧ回路３７によりｍｏｔｉｏｎ−ＪＰＥＧなどの手法により撮影動画をデータ圧縮してメモリ３８へ記録する。再度シャッタキー９が操作されると、動画データの記録を終了する。
【００５１】
一方、基本モードである再生モード時には、制御部３２がメモリ３８に記録されている画像データを選択的に読み出し、ＪＰＥＧ回路３７で記録モード時にデータ圧縮した手順と全く逆の手順で、圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読み出してビデオ信号を発生し、表示部１９で再生出力させる。
【００５２】
選択した画像データが静止画像ではなく動画像であった場合には、その動画データを構成する複数フレームの静止画データを時系列の順で順次再生して表示し、すべての静止画データの再生を終了した時点で、例えば、次に再生の指示がなされるまで先頭に位置する静止画データを表示するなどを行う。
【００５３】
また、このデジタルカメラ１には手ぶれ補正機能が搭載されており、ジャイロセンサ４２によって検知したカメラ本体２の移動方向と逆にレンズ光学系２２の一部あるいはＣＣＤ２３を移動させることで、結像点のずれを補正する。なお、ジャイロセンサ４２については、例えば角速度を検出する振動式などがあるが、その原理や構成などについては公知であるため、ここではその詳しい説明は省略する。また、補正方法についても、撮影時に光学機構を調整して補正する光学式の他に、取り込んだ画像データを加工して補正する電子式があり、これについても一般的な手法であるため、その詳しい説明は省略するものとする。
【００５４】
ここで、本実施形態では、前記手ぶれ補正で一般的に用いられているジャイロセンサ４２を利用して、マーク付け撮影モード時にユーザ（撮影者）が図３に示すようにデジタルカメラ１のカメラ本体２を移動させたときの移動軌跡を検出する構成としている。「マーク付け撮影モード」とは、撮影時にユーザが注目している箇所をマーキングするためのモードである。このマーク付け撮影モードは、図４に示すようなモード設定画面５０を通じてユーザが任意に設定できる。
【００５５】
すなわち、モード設定画面５０には、「通常の撮影モード」または「マーク付け撮影モード」を選択するためのチェック項目５１，５２が設けられており、チェック項目５２をカーソールキー等の操作によりチェックすることで、「マーク付け撮影モード」が設定される。その際、チェック項目５３も一緒にチェックしておくことで、撮影画像の中でマーキングされた箇所以外の周辺画像を加工することができる。このモード設定画面５０は、撮影モード時にメニューキー１６を押下操作することで表示部１９上に表示される。
【００５６】
以下に、前記マーク付け撮影モードによる画像処理について説明する。  
なお、以下の各フローチャートで示される処理は、マイクロコンピュータである制御部３２がプログラムを読み込むことにより実行される。
【００５７】
図５は同実施形態におけるデジタルカメラ１の撮影処理を示すフローチャートであり、撮影モードキー１０の操作により静止画の撮影モードが設定された場合の処理が示されている。
【００５８】
まず、「マーク付け撮影モード」が設定されているか否かが判断される（ステップＡ１０）。「マーク付け撮影モード」でない場合、つまり、図４に示したモード設定画面５０のチェック項目５１で「通常の撮影モード」が設定されていた場合には（ステップＡ１０のＮｏ）、通常の撮影処理が実行される。通常の撮影処理では、撮像素子であるＣＣＤ２３を通じて得られる被写体の画像データがスルー画像として表示部１９にモニタ表示される。そして、ユーザがシャッタキー９を押下操作したときのタイミングで、そのときに得られる画像データが撮影画像として取り込まれ、これを所定の方式で圧縮されてメモリ３８に記録保存される。
【００５９】
一方、前記モード設定画面５０のチェック項目５２で「マーク付け撮影モード」が設定されていた場合には（ステップＡ１０のＹｅｓ）、以下のような手順でユーザの注目箇所にマーキングを行うことになる。
【００６０】
すなわち、制御部３２は、まず、現在撮影対象となっている被写体の画像をＣＣＤ２３により取得し、これをスルー画像として表示部１９にモニタ表示する（ステップＡ１１）。ここで、ユーザがシャッタキー９を半押しすると（ステップＡ１２のＹｅｓ）、制御部３２はユーザによるマーキング操作が開始されたものと判断し、ジャイロセンサ４２によって検出されるカメラ本体２の移動情報（移動方向および移動量）に基づいて、そのカメラ本体２の移動軌跡を測定する（ステップＡ１３）。
【００６１】
そして、シャッタキー９の半押し状態が解除されると（ステップＡ１４のＹｅｓ）、制御部３２はユーザによるマーキング操作が終了したものと判断し、この時点までに得られたカメラ本体２の移動軌跡をマークとして妥当な形に整形した後（ステップＡ１５）、その整形後の移動軌跡に基づいてマークを作成して、これを当該スルー画像上に表示する（ステップＡ１６）。
【００６２】
図６および図７にこのときの様子を示す。  
今、例えば遠く景色を撮影する場合において、その景色の中にユーザの注目する建物６０があるとする。図中の６１はモニタ視野つまり表示部１９のモニタ画面、６２はそのモニタ画面６１の中心位置に設けられたポインタである。
【００６３】
このような場合、まず、図６に示すように、建物６０の近くにモニタ画面６１上のポインタ６１が来るようにカメラ本体２を構えた状態でシャッタキー９を半押しする。これにより、そのときのポインタ６１の位置を起点にしてマーキングが開始され、図７に示すように、ポインタ６１により建物６０を囲むようにカメラ本体２を移動させると、そのときの移動軌跡６３が測定される。
【００６４】
マーキング操作が終わってシャッタキー９の半押しを解除すると、その時点までに得られた移動軌跡６３に基づいてマーク６４が作成されて当該スルー画像中の該当する箇所に表示される。この場合、移動軌跡６３が歪んでいても、マークとして妥当な形に整形されて可視化表示される。
【００６５】
すなわち、図８（ａ）に示すように、移動軌跡６３によって描かれた形が円に近ければ、円形状に整形されたマーク６４が表示されることになる。また、図８（ｂ）に示すように、移動軌跡６３によって描かれた形が矩形に近ければ、矩形状に整形されたマーク６４が表示されることになる。
【００６６】
図５に戻って、マーク表示後、ユーザが再びシャッタキー９を押下操作すると（ステップＡ１７のＹｅｓ）、制御部３２は撮影処理を実行して、現在モニタ表示されている被写体の画像を撮影画像として取り込む（ステップＡ１８）。
【００６７】
なお、デジタルカメラ１がＡＦ（ａｕｔｏｍａｔｉｃ  ｆｏｃｕｓｉｎｇ）機能を備えている場合には、ステップＡ１２で最初にシャッタキー９が半押しされた場合と、ステップＡ１７で再度シャッタキー９が押下された場合とで区別し、ステップＡ１２でシャッタキー９が半押しされた場合にはマーキング処理を行い、ステップＡ１７でシャッタキー９が半押しされたときにＡＦ処理を行い、そして、全押しで撮影処理を行うものとする。
【００６８】
また、図４に示したモード設定画面５０上のチェック項目５３で周辺画像の加工が指定されていれば（ステップＡ１９のＹｅｓ）、制御部３２は、マーク外の周辺画像の明度を上げるか、あるいは、モノクロにするなどの所定の加工を施した後（ステップＡ２０）、そのときに得られる撮影画像にマークを合成してメモリ３８に記録する（ステップＡ２１）。なお、撮影画像とマークを別々の領域に関連付けて記録しておき、再生時や印刷時などに特定の指示操作に従って両者を合成処理することでも良い。
【００６９】
図９乃至図１１にこのときの様子を示す。  
マーク表示後にデジタルカメラ１のカメラ本体２を動かすと、そのカメラ本体２の動きに合わせてマーク６４も動き、常に建物６０の位置に表示される。このマーク６４の移動制御についても、前記ジャイロセンサ４２によって検出されるカメラ本体２の移動情報に基づいて行なわれる。
【００７０】
ここで、図９に示すように、ユーザが構図を決め、シャッタキー９を押下操作すると、現在モニタ画面６１上に表示されている被写体の画像が撮影画像としてマーク６４と共に記録される。
【００７１】
図１０がマーク付きの撮影画像の一例を示す図であり、ユーザが注目していた建物６０にマーク６４が付加されている。この場合、周辺画像の加工が指定されていれば、図１１のようにマーク６４外の周辺画像の画質が変更されて、マーク６４内の建物６０を強調した撮影画像が得られる。
【００７２】
このように、撮影時にユーザが注目している箇所に簡単にマークを付けて撮影することができる。したがって、後で撮影画像を見た場合に、どの箇所に注目して撮影した画像であるのかをマークから容易に判断できるようになる。
【００７３】
また、手ぶれ補正用に予め搭載されていたジャイロセンサ４２を利用して、カメラ本体２の移動軌跡を検出してマーキングを行うため、例えばタッチパネルなどのようにマーキング専用に特別な機器を必要とせずに安価にて実現できる。
【００７４】
なお、前記実施形態では、ステップＡ１２でシャッタキー９をマーキング操作用に用いたが、マーキング操作用に特定のキーを設けて、そのキーの押下によりマーキング処理を行う構成であっても良い。
【００７５】
さらに、ステップＡ１２でシャッタキー９をマーキング操作用に用いる場合に、マーキング処理と同時にＡＦ処理も同時に行い、マーク付けをした部分に焦点を合わせて撮影を行うような構成も可能である。この場合、ステップＡ１４でシャッタキー９の半押しが解除されたときにＡＦは解除せず、続いてステップＡ１７で再度シャッタキー９が押下されたときのタイミングで撮影処理を実行するものとする。
【００７６】
また、前記実施形態では、デジタルカメラを想定して説明したが、本発明のデジタルカメラに限らず、例えばカメラ付きの携帯電話やＰＤＡ（Personal Digital Assistant）など、撮像機能を備えた電子機器であれば、その全てに適用可能である。
【００７７】
要するに、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００７８】
また、上述した実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ等）、半導体メモリなどの記録媒体に書き込んで各種装置に適用したり、通信媒体により伝送して各種装置に適用することも可能である。本装置を実現するコンピュータは、記録媒体に記録されたプログラムを読み込み、このプログラムによって動作が制御されることにより、上述した処理を実行する。
【図面の簡単な説明】
【００７９】
【図１】図１は本発明の一実施形態に係る撮像装置としてデジタルカメラを例にした場合の外観構成を示す図であり、図１（ａ）は主に前面の構成、同図（ｂ）は主に背面の構成を示す斜視図である。
【図２】図２は同実施形態におけるデジタルカメラの電子回路構成を示すブロック図である。
【図３】図３は同実施形態におけるデジタルカメラのマーキング操作を説明するための図である。
【図４】図４は同実施形態におけるデジタルカメラのモード設定画面の一例を示す図である。
【図５】図５は同実施形態におけるデジタルカメラの撮影処理を示すフローチャートである。
【図６】図６は同実施形態におけるデジタルカメラのマーキング操作時の具体例を示す図である。
【図７】図７は同実施形態におけるデジタルカメラのマーキング操作時の具体例を示す図である。
【図８】図８は同実施形態におけるデジタルカメラによる移動軌跡の整形処理を説明するための図である。
【図９】図９は同実施形態におけるデジタルカメラによるマーク表示後の撮影アングルの一例を示す図である。
【図１０】図１０は同実施形態におけるデジタルカメラによるマーク付きの撮影画像の一例を示す図である。
【図１１】図１１は同実施形態におけるデジタルカメラによるマーク外の周辺画像の加工例を示す図である。
【符号の説明】
【００８０】
１…デジタルカメラ、２…カメラ本体、３…撮影レンズ、４…セルフタイマランプ、５…光学ファインダ窓、６…ストロボ発光部、７…マイクロホン部、８…電源キー、９…シャッタキー、１０…撮影モードキー、１１…再生モードキー、１２…光学ファインダ、１３…スピーカ部、１４…マクロキー、１５…ストロボキー、１６…メニュー（ＭＥＮＵ）キー、１７…リングキー、１８…セット（ＳＥＴ）キー、１９…表示部、２０ａ，２０ｂ…ズームキー、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…ＪＰＥＧ回路、３８…メモリ、３９…音声処理部、４０…ＵＳＢインタフェース（Ｉ／Ｆ）、４１…ストロボ駆動部、４２…ジャイロセンサ、５０…モード設定画面、５１〜５３…チェック項目、６１…モニタ画面、６２…ポインタ、６３…移動軌跡、６４…マーク。
【図１】
2006237713.tif 000003
【図２】
2006237713.tif 000004
【図３】
2006237713.tif 000005
【図４】
2006237713.tif 000006
【図５】
2006237713.tif 000007
【図６】
2006237713.tif 000008
【図７】
2006237713.tif 000009
【図８】
2006237713.tif 000010
【図９】
2006237713.tif 000011
【図１０】
2006237713.tif 000012
【図１１】
2006237713.tif 000013